(57)【特許請求の範囲】
【請求項１】
配電線路を複数の区間に分岐する区分開閉器と、前記区分開閉器を制御する遠制子局と、前記遠制子局からの信号を遠制親局に光信号で伝送する光中継器と、前記光中継器からの光信号を伝送する光ファイバーを余長処理する光クロージャとを収納した路上設置型開閉器塔において、
前記光中継器と前記光クロージャを一体的にユニット化して光ユニットを構成し、この光ユニットを、前記遠制子局の前部で、かつ路上設置型開閉器塔の外に、前方に回動可能に配設したことを特徴とする路上設置型開閉器塔。
【請求項２】
前記遠制子局の下部の台座に形成したピン支持体に支持ピンを設け、かつ、前記光ユニットの底部に、前記支持ピンに係合する溝を有する支持片を設けて、前記光ユニットを前方に回動可能に配設したことを特徴とする請求項１に記載の路上設置型開閉器塔。
【発明の詳細な説明】
【０００１】
【発明の属する技術分野】
本発明は、電力配電設備に用いられる路上設置型開閉器塔に関するものである。
【０００２】
【従来の技術】
従来の路上設置型開閉器塔は、図３に示すように構成されている。
図において、２０は路上設置型開閉器塔、２１は路上設置型開閉器塔２０のケースで、一点鎖線で示している。前記路上設置型開閉器塔２０のケース２１の内部には、配電線路を複数の区間に分岐する区分開閉器２２と、前記区分開閉器２２を制御する遠制子局２３が収納されている。この遠制子局２３は、前記遠制子局からの信号を遠制親局に光信号で伝送する光中継器（図示せず）、開閉器制御を行う制御処理部（図示せず）、および光ファイバーの余長処理部（図示せず）とで構成されている。２４は前記遠制子局２３からの光信号を伝送する光ファイバー（図示せず）を収納した光クロージャで、前面に蓋２５を有し、前記遠制子局２３の前部に、支持具２６を用いて取付けている。
なお、前記光クロージャ２４には、前記遠制子局２３からの光信号を伝送する光ケーブル（図示せず）と、路上設置型開閉器塔２０の下にあるハンドホール（図示せず）から立ち上がった光ケーブル（図示せず）とが引き込まれてお互いに接続されるとともに、光ファイバーの余長処理部（図示せず）が収納されている。
このような構成において、光ファイバーの接続作業は、遠制子局２３から光ファイバーを引出し、路上設置型開閉器塔２０とは別装置である光ファイバー接続装置（図示せず）で接続することによって行い、接続作業完了後に、光ファイバーと接続部を遠制子局２３内の光ファイバー余長処理部に収納していた。
【０００３】
【発明が解決しようとする課題】
しかしながら、従来の路上設置型開閉器塔は、次のような問題があった。
(1) 前記光中継器が遠制子局２３の内部に収納されており、前記光クロージャ２４と遠制子局２３との間の接続を光ケーブルで行う必要があるため、光クロージャ２４と遠制子局２３のそれぞれに光ファイバーの余長処理部が必要となる。そのため、路上設置型開閉器塔を小形化することができない。
(2) 光ファイバーの接続作業をする場合、光クロージャ２４の蓋２５を開け、狭い装置内に体を乗り入れるようにして水平方向から作業をしなければならず、スペースの確保が難しく、かつ光クロージャ２４の内部が見にくいため、組立、保守、増設等の作業性が非常に悪い。
そこで、本発明は、小形化と組立、保守、増設等の作業性の向上を同時に実現させた路上設置型開閉器塔を提供することを目的とするものである。
【０００４】
【課題を解決するための手段】
上記問題点を解決するため、本発明は、配電線路を複数の区間に分岐する区分開閉器と、前記区分開閉器を制御する遠制子局と、前記遠制子局からの信号を遠制親局に光信号で伝送する光中継器と、前記光中継器からの光信号を伝送する光ファイバーを余長処理する光クロージャとを収納した路上設置型開閉器塔において、前記光中継器と前記光クロージャを一体的にユニット化して光ユニットを構成し、この光ユニットを、前記遠制子局の前部で、かつ路上設置型開閉器塔の外に、前方に回動可能に配設するようにしたものである。これにより、遠制子局内の余長処理部をなくし、また、前記光ユニットを前方に倒し、路上設置型開閉器塔の外で寝かせた状態にして、スペースの広い場所で、かつ光ユニットの内部が見やすい上部から光ファイバーの接続作業等をすることができる。
【０００５】
【発明の実施の形態】
以下、本発明の実施例を図に基づいて説明する。
図１は本発明の実施例における路上設置型開閉器を示すもので、（ａ）はドアを開けた状態の内部を示す正面図、（ｂ）は側断面図である。図２は本発明の実施例における光ユニットの側面の下部付近を示す要部拡大図である。
図において、１は路上設置型開閉器塔で、この路上設置型開閉器塔１の機枠２の前面にドア３が設けられている。４は区分開閉器で、前記路上設置型開閉器塔１内に収納され、この区分開閉器４に設けた接続端子５からの電線を配電線路（図示せず）に接続し、前記配電線路を複数の区間に分岐するようにしている。６は区分開閉器４を開閉路する遠制子局、７は光ユニットで、前記遠制子局６の前部に、つまり、前記遠制子局６における開閉器塔１のドア３側の部分に配設されている。前記光ユニット７は、光中継器（図示せず）と光クロージャ（図示せず）を一体的にユニット化して構成しており、光ファイバー（図示せず）で遠制親局（図示せず）に接続して、遠制親局からの指令により遠制子局６を制御し、区分開閉器４を操作するようにしている。また、前記光ユニット７には、上部に止め金８が、前面に把手９が、さらに背面にカバー１０が取付けられている。１１は回転支持具で、前記光ユニット７の底部に取付けた溝１２を有する支持片１３と、前記遠制子局６の下部の台座１４の先端部に形成され、前記支持片１３の溝１２に係合する支持ピン１５を有するピン支持体１６とで構成されている。
つぎに、このような構成における路上設置型開閉器塔１の、例えば光ファイバーの接続作業について説明する。
作業の開始にあたっては、まず路上設置型開閉器塔１のドア３を開ける。次に、光ユニット７の止め金８を外して把手９を手前に引き、前記支持ピン１５を支点にして光ユニット７を、図１（ｂ）の矢印Ａに示すように前方に倒し、路上設置型開閉器塔１の外で寝かせた状態にする。その後、前記光ユニット７の後面のカバー１０を外して、上方から光ユニット７内の光ファイバーを取り出し、光ファイバー接続装置を用いて接続作業を行う。作業は、路上設置型開閉器塔１の外で行うので、広いスペースを確保することができるし、また、光ユニット７の上方から作業するので、光ユニット７の内部が見やすく作業性が非常によい。
この場合、光ファイバーの余長処理は、光中継器と光クロージャをユニット化して構成した光ユニット７の内部のみで行えばよいので、遠制子局６には光ファイバーの余長処理部は設ける必要がない。したがって、遠制子局６は従来に比べて小形にすることができる。
なお、前記実施例においては、光ユニット７は遠制子局６の台座１４に取付けるようにしているが、路上設置型開閉器塔１の機枠２に取付けるようにしても構わない。
【０００６】
【発明の効果】
以上述べたように、本発明によれば次のような効果がある。
(1) 遠制子局内の余長処理部をなくすことができるので、路上設置型開閉器塔を小形化することができる。
(2) 前記光ユニットを前方に倒し、路上設置型開閉器塔の外で寝かせた状態にして、広いスペースの場所で、かつ上方から光ファイバーの接続作業等をすることができるので、組立、保守、増設等の作業性が向上する。
【図面の簡単な説明】
【図１】  本発明の実施例における路上設置型開閉器を示すもので、（ａ）はドアを開けた状態の内部を示す正面図、（ｂ）は側断面図である。
【図２】  本発明の実施例における光ユニットの側面の下部付近を示す要部拡大図である。
【図３】  従来の路上設置型開閉器塔の斜視図である。
【符号の説明】
１    路上設置型開閉器塔、
２    機枠、
３    ドア、
４    区分開閉器、
５    接続端子、
６    遠制子局、
７    光ユニット、
８    止め金、
９    把手、
１０  カバー、
１１  回転支持具、
１２  溝、
１３  支持片、
１４  台座、
１５  支持ピン、
１６  ピン支持体
【図１】
0004206528.tif 000002
【図２】
0004206528.tif 000003
【図３】
0004206528.tif 000004